(57)【要約】【課題】撮影時等にカメラ付き携帯電話機のアンテナ部を利用して自立可能にする。【解決手段】カメラ付き携帯電話機１０は、アンテナ収納部２６が形成された電話機本体２０と、電話機本体に対して回動自在に配設されたアンテナ部３０とから構成されている。このアンテナ部３０は、アンテナ収納部２６に収納される収納状態と電話機本体２０を立てた状態で支持する本体支持状態との２つの状態をとることができ、アンテナ部３０を電話機本体２０に対して所定の角度開くことにより、カメラ付き電話機１０を自立させることができる。【選択図】      図３
2005323080.tif 000002
【特許請求の範囲】
【請求項１】
カメラ付き携帯電話機の電話機本体であって、アンテナ部を収納するためのアンテナ収納部が形成された電話機本体と、
前記電話機本体に対して移動自在に配設された前記アンテナ部であって、前記アンテナ収納部に収納される収納位置と前記電話機本体を立てた状態で支持する本体支持位置との間で移動するアンテナ部と、
を備えたことを特徴とするカメラ付き携帯電話機。
【請求項２】
前記アンテナ部は、一端が前記電話機本体に回動自在に軸支され、所定の角度回動することにより前記収納位置と本体支持位置との間を移動することを特徴とする請求項１に記載のカメラ付き携帯電話機。
【請求項３】
前記電話機本体に形成されたアンテナ収納部は、前記アンテナ部を電話機本体の表面とほぼ面一に収納する溝状収納部であることを特徴とする請求項１又は２に記載のカメラ付き携帯電話機。
【請求項４】
前記アンテナ部は、前記電話機本体を支える支柱となるときの長さの調整ができるように伸縮自在に構成されていることを特徴とする請求項２又は３に記載のカメラ付き携帯電話機。
【請求項５】
カメラ部とアンテナ部とを有するカメラ付き携帯電話機において、
前記アンテナ部の先端に、三脚用ねじ穴を設けたことを特徴とするカメラ付き携帯電話機。
【請求項６】
カメラ付き携帯電話機に使用され、アンテナ部の先端に三脚用ねじ穴が設けられていることを特徴とするカメラ付き携帯電話機用交換アンテナ。
【請求項７】
カメラ部とアンテナ部とを有するカメラ付き携帯電話機を、三脚に取り付けるための三脚取付用アダプタであって、
前記カメラ付き携帯電話のアンテナ部に着脱自在な第１の装着部と、該第１の装着部とは反対側に設けられ、前記三脚に着脱自在な第２の装着部とを備えたことを特徴とする三脚取付用アダプタ。
【請求項８】
前記第１の装着部は、前記カメラ付き携帯電話機のアンテナ部の先端が嵌合する凹部が形成されていることを特徴とする請求項７に記載の三脚取付用アダプタ。
【請求項９】
前記凹部の内部に、前記アンテナ部の先端との嵌合を強化するバネ部材が配設されていることを特徴とする請求項８に記載の三脚取付用アダプタ。
【請求項１０】
前記アンテナ部の先端にはその周囲にねじが形成され、前記第１の装着部は、前記アンテナ部の先端に形成されたねじと螺合する雌ねじが形成されていることを特徴とする請求項７に記載の三脚取付用アダプタ。
【請求項１１】
前記第２の装着部は、前記三脚の雄ねじに螺合する雌ねじが形成されていることを特徴とする請求項７に記載の三脚取付用アダプタ。
【請求項１２】
前記第２の装着部は、前記三脚のシュー取付部に取りつけられるクイックシューが形成されていることを特徴とする請求項７に記載の三脚取付用アダプタ。
【発明の詳細な説明】
【技術分野】
【０００１】
本発明はカメラ付き携帯電話機、カメラ付き携帯電話用交換アンテナ及び三脚取付用アダプタに係り、特に撮影時にカメラ付き携帯電話機を立てた状態で固定する技術に関する。
【背景技術】
【０００２】
カメラを内蔵した携帯電話機（カメラ付き携帯電話機）では、ユーザー自身を撮影したいときに不便を感じることがある。この種のカメラ付き携帯電話機は、三脚に固定できる構造になっておらず、カメラのレンズ部を被写体に向けた状態（立てた状態）で、テーブル等に置くことができない形をしているのが普通だからである。
【０００３】
特許文献１には、カメラの底面に取り付けられる小型の三脚が開示されているが、カメラ付き携帯電話機には、その底面にもともと三脚ねじ穴がないため、特許文献１の三脚を使用することができない。
【０００４】
特許文献２には、表示部側本体とキー操作部側本体とがヒンジ部で折り畳める構造のカメラ付き携帯電話機が開示されている。このカメラ付き携帯電話機は、キー操作部側本体をテーブル等に平行に置き、表示部側本体をキー操作部側本体に対して起立させ（所定の角度に開いて）、表示部側本体に設けたカメラのレンズ部を被写体に向けた状態で固定したり、表示部側本体とキー操作部側本体とを所定の角度に開いた状態でテーブル等に置くことにより、表示部側本体とキー操作部側本体とがへの字状の姿勢で自立できるようにしている。
【特許文献１】特開平９−１２７６０２号公報
【特許文献２】特開２００２−２９５４４５号公報
【発明の開示】
【発明が解決しようとする課題】
【０００５】
特許文献２に記載のカメラ付き携帯電話機は、折り畳み式の携帯電話機のみに適用できるもので、ストレートタイプ（棒状）のカメラ付き携帯電話機には適用できないという問題がある。
【０００６】
本発明の目的は、撮影時等に携帯電話機のアンテナ部を利用して自立させることができるカメラ付き携帯電話機を提供することにある。
【０００７】
本発明の他の目的は、撮影時等に携帯電話機のアンテナ部を利用して三脚に固定することができるカメラ付き携帯電話機及びカメラ付き携帯電話機用交換アンテナを提供することにある。
【０００８】
本発明の更に他の目的は、撮影時等に携帯電話機のアンテナ部を利用して、カメラ付き携帯電話を三脚に固定させる三脚取付用アダプタを提供することにある。
【課題を解決するための手段】
【０００９】
前記目的を達成するために請求項１に係るカメラ付き携帯電話機は、カメラ付き携帯電話機の電話機本体であって、アンテナ部を収納するためのアンテナ収納部が形成された電話機本体と、前記電話機本体に対して移動自在に配設された前記アンテナ部であって、前記アンテナ収納部に収納される収納位置と前記電話機本体を立てた状態で支持する本体支持位置との間で移動するアンテナ部と、を備えたことを特徴としている。
【００１０】
前記電話機本体のアンテナ収納部に収納されたアンテナ部を移動させることで、該アンテナ部により電話機本体を立てた状態で支持すること（カメラ付き携帯電話を自立させること）ができる。これにより、ユーザー自身等を容易に撮影できるとともに、手振れを防止することもできる。尚、ここで、アンテナ部とは、アンテナ自体、又はアンテナ自体が収納された筒体を含むものとする。
【００１１】
請求項２に示すように請求項１に記載のカメラ付き携帯電話機において、前記アンテナ部は、一端が前記電話機本体に回動自在に軸支され、所定の角度回動することにより前記収納位置と本体支持位置との間を移動することを特徴としている。カメラ付き携帯電話機を簡単に立てた状態にすることができる。
【００１２】
請求項３に示すように請求項１又は２に記載のカメラ付き携帯電話機において、前記電話機本体に形成されたアンテナ収納部は、前記アンテナ部を電話機本体の表面とほぼ面一に収納する溝状収納部であることを特徴としている。アンテナ部の収納時には、アンテナ部が邪魔にならないようにすることができる。
【００１３】
請求項４に示すように請求項２又は３に記載のカメラ付き携帯電話機において、前記アンテナ部は、前記電話機本体を支える支柱となるときの長さの調整ができるように伸縮自在に構成されていることを特徴としている。撮影時に支柱となるアンテナ部を伸縮させることで、撮影角度を微調整することができる。
【００１４】
請求項５に係る発明は、カメラ部とアンテナ部とを有するカメラ付き携帯電話機において、前記アンテナ部の先端に、三脚用ねじ穴を設けたことを特徴としている。
【００１５】
請求項６に係るカメラ付き携帯電話機用交換アンテナは、カメラ付き携帯電話機に使用され、アンテナ部の先端に三脚用ねじ穴が設けられていることを特徴としている。
【００１６】
カメラ付き携帯電話機のアンテナ部（予め携帯電話機に取り付けられたアンテナ、及び携帯電話機用交換アンテナを含む）の先端に三脚用ねじ穴を設けるようにしたため、この三脚用ねじ穴を利用してカメラ付き携帯電話機を三脚に固定することができる。尚、アンテナ部の先端に三脚用ねじ穴を設けることで、電話機本体側に三脚用ねじ穴を設けるためのスペースを確保する必要がなく、またデザインの制約を受けることがないという利点がある。
【００１７】
請求項７に係る発明は、カメラ部とアンテナ部とを有するカメラ付き携帯電話機を、三脚に取り付けるための三脚取付用アダプタであって、前記カメラ付き携帯電話のアンテナ部に着脱自在な第１の装着部と、該第１の装着部とは反対側に設けられ、前記三脚に着脱自在な第２の装着部とを備えたことを特徴としている。
【００１８】
この三脚取付用アダプタは、第１、第２の装着部がそれぞれ対向して設けられており、第１の装着部がカメラ付き携帯電話機のアンテナ部に装着され、第２の装着部が三脚に取り付けられる。即ち、カメラ付き携帯電話機と三脚との間に三脚取付用アダプタを介在させることにより、カメラ付き携帯電話機を三脚に取り付けるようにしている。
【００１９】
請求項８に示すように請求項７に記載の三脚取付用アダプタにおいて、前記第１の装着部は、前記カメラ付き携帯電話機のアンテナ部の先端が嵌合する凹部が形成されていることを特徴としている。
【００２０】
請求項９に示すように請求項８に記載の三脚取付用アダプタにおいて、前記凹部の内部に、前記アンテナ部の先端との嵌合を強化するバネ部材が配設されていることを特徴としている。
【００２１】
請求項１０に示すように請求項７に記載の三脚取付用アダプタにおいて、前記アンテナ部の先端にはその周囲にねじが形成され、前記第１の装着部は、前記アンテナ部の先端に形成されたねじと螺合する雌ねじが形成されていることを特徴としている。
【００２２】
請求項９、１０に係る発明によれば、アンテナ部から三脚取付用アダプタが簡単に外れないようにすることができる。
【００２３】
請求項１１に示すように請求項７に記載の三脚取付用アダプタにおいて、前記第２の装着部は、前記三脚の雄ねじに螺合する雌ねじが形成されていることを特徴としている。
【００２４】
請求項１２に示すように請求項７に記載の三脚取付用アダプタにおいて、前記第２の装着部は、前記三脚のシュー取付部に取りつけられるクイックシューが形成されていることを特徴としている。
【発明の効果】
【００２５】
本発明によれば、撮影時等に携帯電話機のアンテナ部を収納位置から本体支持位置に移動させることで、この移動したアンテナ部によりカメラ付き携帯電話機を自立させることができる。また、本発明によれば、アンテナ部の先端に三脚用ねじ穴を設けるようにしたため、この三脚用ねじ穴によりカメラ付き携帯電話機を三脚に固定することができる。更に、本発明によれば、カメラ付き携帯電話機のアンテナ部と三脚とにそれぞれ装着可能な第１、第２の装着部を有する三脚取付用アダプタを使用することで、この三脚取付用アダプタを介してカメラ付き携帯電話機を三脚に取り付けることができる。
【発明を実施するための最良の形態】
【００２６】
以下添付図面に従って本発明に係るカメラ付き携帯電話機、カメラ付き携帯電話機用交換アンテナ及び三脚取付用アダプタの好ましい実施の形態について詳説する。
【００２７】
〔第１の実施の形態〕
本発明に係るカメラ付き携帯電話機の第１の実施の形態について説明する。
【００２８】
図１（Ａ）及び（Ｂ）はそれぞれ本発明に係るカメラ付き携帯電話機の第１の実施の形態を示す正面図及び背面図である。
【００２９】
同図に示すようにカメラ付き携帯電話機１０は、ストレートタイプ（棒状）のカメラ付き携帯電話機であり、電話機本体２０とアンテナ部３０とを有している。
【００３０】
電話機本体２０は、図１（Ａ）に示すように正面にテンキー、十字キー、電源ボタン、通話ボタン等の操作部２１、マイク２２、スピーカ２３及び液晶表示器２４が設けられており、図１（Ｂ）に示すように背面側には、静止画や動画の撮影が可能なカメラ部２５、及びアンテナ部３０を収納するアンテナ収納部２６が設けられている。また、図示していないが、内蔵されたカメラ部２５によるセルフ撮影を行うためのセルフタイマー機能を有している。
【００３１】
図２はカメラ付き携帯電話機１０を背面側から見た分解斜視図であり、電話機本体２０とアンテナ部３０とが分解された状態に関して示している。
【００３２】
アンテナ収納部２６は、電話機本体２０の背面中央の長手方向に形成された溝状収納部であり、アンテナ収納部２６の上端部（カメラ近傍）には、アンテナ部３０の支軸３２を保持する軸受け２７が設けられている。
【００３３】
アンテナ部３０は、アンテナ本体と、アンテナ本体を収納する二重構造の筒体３４、３５とからなり、筒体３４の上方に支軸３２が配設されている。筒体３５は、筒体３４の内部を摺動することができ、これにより筒体３４、３５の全体の長さを調節できるようになっている。
【００３４】
図３（Ａ）及び（Ｂ）はそれぞれカメラ付き携帯電話機１０におけるアンテナ部３０の２つの状態を示す側面図であり、同図（Ａ）はアンテナ部３０がアンテナ収納部２６に収納されている状態に関して示しており、同図（Ｂ）はアンテナ部３０を支軸３２を中心にして数１０度開いた状態に関して示している。
【００３５】
即ち、図３（Ａ）に示すようにアンテナ部３０をアンテナ収納部２６に収納した通常の状態では、アンテナ部３０は電話機本体２０に完全に収納され、電話機本体２０の表面とほぼ面一になるように収納される。これにより、電話機本体２０を把持する場合にアンテナ部３０が邪魔になることがない。
【００３６】
一方、図３（Ｂ）に示すようにアンテナ部３０を支軸３２を中心に回動させてアンテナ部３０を開くことにより、アンテナ部３０を支柱として電話機本体２０を机上等に立てた状態で支えることができる。即ち、カメラ付き携帯電話機１０を自立させることができる。
【００３７】
尚、図３（Ｂ）上で、符号３７は、電話機本体２０とアンテナ部３０とを電気的に接続するためのケーブルである。
【００３８】
前記アンテナ部３０は、０（収納位置）〜約３０度の範囲にわたって回動可能になっており、５〜２０度開いた状態にすることで、収納された状態から電話機本体２０を支持する状態になる。また、筒体３５を伸縮させてアンテナ部３０の長さを調整し、又はアンテナ部３０の開き角度を調節することにより、撮影時の角度を微調整することができる。
【００３９】
図３（Ｂ）に示したようにカメラ付き携帯電話１０を机上等に自立させた状態で、セルフタイマー機能を使用することにより、ユーザー自身を容易に撮影することができる。また、静止画を撮影する場合に限らず、動画を撮影する場合（例えば、テレビ電話として使用する場合）にも利用することができる。
【００４０】
〔第２の実施の形態〕
図４は本発明に係るカメラ付き携帯電話機の第２の実施の形態を示す側面図である。
【００４１】
同図に示すカメラ付き携帯電話４０は、テンキー、十字キー、電源ボタン、通話ボタン等の操作部及びマイク等を有するキー操作部側本体４１と、液晶表示器、スピーカ及びカメラ部４２等を有する表示部側本体４３とをヒンジ部４４で折り畳める構造となっている。また、表示部側本体４３の背面には、アンテナ収納部４５が形成されている。
【００４２】
一方、アンテナ部４６は、前述したアンテナ部３０と同様に構成され、アンテナ収納部４５に収納される収納状態と、図４に示すように所定の角度開いて、電話機本体（キー操作部側本体４１、表示部側本体４３）を支持する支持状態との２つの状態をとることができるようになっている。
【００４３】
〔第３の実施の形態〕
図５は本発明に係るカメラ付き携帯電話機の第３の実施の形態を示す要部断面図である。
【００４４】
同図に示すように、このカメラ付き携帯電話機５０は、カメラ部５２とアンテナ部５４とを有している。アンテナ部５４の先端には、三脚用ねじ穴５５が形成されている。
【００４５】
従って、カメラ付き携帯電話機５０を三脚（図示せず）に固定する場合には、アンテナ部５４の先端の三脚用ねじ穴（雌ねじ）５５を三脚側の雄ねじに螺合させ、カメラ付き携帯電話機５０を三脚に取り付ける。尚、三脚に取り付けられたカメラ付き携帯電話機５０は、天地方向が逆転するが、撮影には支障はない。
【００４６】
また、アンテナ部５４としては、カメラ付き携帯電話機５０の純正品に限らず、例えば、光るアンテナのようにユーザーが好みによって交換する携帯用交換アンテナのうちの１つとして準備されたものを使用してもよい。
【００４７】
〔第４の実施の形態〕
図６は本発明に係る三脚取付用アダプタの実施の形態を示す要部断面図である。
【００４８】
同図に示すように、この三脚取付用アダプタ６０は、カメラ付き携帯電話機７０のアンテナ部７２の先端と嵌合する凹部６２（第１の装着部）と、三脚の雄ねじに螺合する三脚用ねじ穴６４（第２の装着部）とが設けられている。
【００４９】
カメラ部７４を有するカメラ付き携帯電話機７０を三脚に固定する場合には、まず、三脚取付用アダプタ６０の三脚用ねじ穴６４を三脚の雄ねじに螺合して固定する。続いて、カメラ付き携帯電話機７０を逆さまにしてアンテナ部７２を、三脚取付用アダプタ６０の凹部６２に差し込んで嵌合させる。
【００５０】
〔第５の実施の形態〕
図７は本発明に係る三脚取付用アダプタの他の実施の形態を示す要部断面図である。
【００５１】
同図に示すように、この三脚取付用アダプタ８０は、カメラ付き携帯電話機９０のアンテナ部９２の先端と嵌合する凹部８２と、三脚の雄ねじに螺合する三脚用ねじ穴８６とが設けられている。
【００５２】
凹部８２内にはスナップリング８４が配設され、一方、アンテナ部９２の先端には、スナップリング８４が嵌合する溝９３が形成されている。従って、三脚に取り付けられた三脚取付用アダプタ８０の凹部８２にカメラ付き携帯電話機９０のアンテナ部９２を差し込むと、凹部８２のスナップリング８４とアンテナ部９２の溝９３とが弾性をもって嵌合する。これにより、カメラ付き携帯電話機９０が簡単に外れなくなり、カメラ付き携帯電話機９０の三脚からの脱落を防止することができる。
【００５３】
〔第６の実施の形態〕
図８は本発明に係る三脚取付用アダプタの更に他の実施の形態を示す要部断面図である。
【００５４】
同図に示すように、この三脚取付用アダプタ１００は、カメラ付き携帯電話機１１０のアンテナ部１１２の先端に形成された雄ねじ部１１３と螺合する雌ねじ部１０２（第１の装着部）と、三脚のシュー取付部（図示せず）に取り付けられるクイックシュー１０４（第２の装着部）とが設けられている。
【００５５】
カメラ部１１４を有するカメラ付き携帯電話機１１０を三脚に固定する場合には、まず、アンテナ部１１２の先端に形成された雄ねじ部１１３に、三脚取付用アダプタ１００の雌ねじ部１０２を螺合してアンテナ部１１２に三脚取付用アダプタ１００を取り付ける。その後、三脚取付用アダプタ１００のクイックシュー１０４を三脚のシュー取付部に取り付けることにより、カメラ付き携帯電話機１１０を三脚に固定する。
【００５６】
尚、三脚取付用アダプタの第１、第２の装着部の構造、及び第１、第２の装着部の組み合わせは、図６乃至図８に示したものに限定されない。
【図面の簡単な説明】
【００５７】
【図１】図１（Ａ）及び（Ｂ）はそれぞれ本発明に係るカメラ付き携帯電話機の第１の実施の形態を示す正面図及び背面図である。
【図２】図２はカメラ付き携帯電話機を背面側から見た分解斜視図である。
【図３】図３（Ａ）及び（Ｂ）はそれぞれカメラ付き携帯電話機におけるアンテナ部の２つの状態を示す側面図である。
【図４】図４は本発明に係るカメラ付き携帯電話機の第２の実施の形態を示す側面図である。
【図５】図５は本発明に係るカメラ付き携帯電話機の第３の実施の形態を示す要部断面図である。
【図６】図６は本発明に係る三脚取付用アダプタの実施の形態を示す要部断面図である。
【図７】図７は本発明に係る三脚取付用アダプタの他の実施の形態を示す要部断面図である。
【図８】図８は本発明に係る三脚取付用アダプタの更に他の実施の形態を示す要部断面図である。
【符号の説明】
【００５８】
１０、４０、５０、７０、９０、１１０…カメラ付き携帯電話機、２０…電話機本体、２２…マイク、２３…スピーカ、２５、４２、５２、７４、９４、１１４…カメラ部、２６、４５…アンテナ収納部、２７…軸受け、３０、４６、５４、７２、９２、１１２…アンテナ部、３２…支軸、３４、３５…筒体、５５、６４、８６…三脚用ねじ穴、６０、８０、１００…三脚取付用アダプタ、６２、８２…凹部、８４…スナップリング、９３…溝、１０２…雌ねじ部、１０４…クイックシュー
【図１】
2005323080.tif 000003
【図２】
2005323080.tif 000004
【図３】
2005323080.tif 000005
【図４】
2005323080.tif 000006
【図５】
2005323080.tif 000007
【図６】
2005323080.tif 000008
【図７】
2005323080.tif 000009
【図８】
2005323080.tif 000010